(57)【要約】【課題】  従来は、電源を必要とするものや、点灯する位置が高速で回転する自動車タイヤ用ディスクホイールに限定されているものや、充電器を必要とするものであり、且つ、装置が大掛かりとなるものや、自転車の発電機として用いられているものと同構造のものであった。【解決手段】  本発明は、蓋体２により閉蓋する本体ケース１と、本体ケースに環状に固定する複数のコア３と、コアに捲着させたコイル４と、コイルの端部と接続し本体ケースの外方に配設する発光素子５と、複数のコアの内周に収納させた永久磁石６と、永久磁石にスペーサを介装して固定した偏心錘８と、偏心錘と永久磁石とに貫設固定させた回動軸９と、回動軸を軸着する本体ケースと蓋体とに形成した軸受孔１０とを備えた。【選択図】  図１
2005198371.tif 000002
【特許請求の範囲】
【請求項１】
回動又は揺動させることにより発電するマイクロ発電機であって、段部を有して拡径させた開口部を蓋体により閉蓋する略有底円筒状の本体ケースと、該本体ケースの底部内周に沿って環状に固定する複数のコアと、該夫々のコアに多数回捲着させた夫々のコイルと、該夫々のコイルの端部と接続し前記本体ケースの外方に配設する単数又は複数の発光素子と、前記環状に固定した複数のコアの内周に回動自在に収納させた円板状の永久磁石と、該永久磁石にスペーサを介装して固定した共回転をずらすための略錨状の偏心錘と、該偏心錘と前記永久磁石とに貫設固定させた回動軸と、該回動軸を回動自在に軸着する前記本体ケースと前記蓋体との夫々の中心に形成した夫々の軸受孔とを備えたことを特徴とするマイクロ発電機。
【請求項２】
回動又は揺動させることにより発電するマイクロ発電機であって、段部を有して拡径させた開口部を蓋体により閉蓋する略有底円筒状の本体ケースと、該本体ケースの底部内周に沿って環状に固定する単数又は複数の永久磁石と、該永久磁石の内周に回動自在に収納させた環状に組設した複数のコアと、該夫々のコアに多数回捲着させた夫々のコイルと、該夫々のコイルの端部と接続し前記本体ケースの外方に配設する単数又は複数の発光素子と、前記環状に組設した複数のコアにスペーサを介装して固定した共回転をずらすための略錨状の偏心錘と、該偏心錘と前記複数のコアを固定したスペーサーとに貫設固定させた回動軸と、該回動軸を回動自在に軸着する前記本体ケースと前記蓋体の中心に形成した夫々の軸受孔とを備えたことを特徴とするマイクロ発電機。
【請求項３】
回転させることにより発電するマイクロ発電機であって、段部を有して拡径させた開口部を蓋体により閉蓋する略有底円筒状の本体ケースと、該本体ケースの底部内周に沿って環状に固定する複数のコアと、該夫々のコアに多数回捲着させた夫々のコイルと、該夫々のコイルの端部と接続し前記本体ケースの外方に配設する単数又は複数の発光素子と、前記環状に固定した複数のコアの内周に回動自在に収納させた円板状の永久磁石と、該永久磁石と共回転をずらすために前記本体ケース又は前記蓋体に固定した略錨状の偏心錘と、該偏心錘と前記本体ケースと前記蓋体とを回転自在に且つ前記永久磁石を貫設固定させた回転軸と、該回転軸を回転自在に軸着する前記本体ケースと前記蓋体との夫々の中心に形成した夫々の軸受孔とを備えたことを特徴とするマイクロ発電機。
【請求項４】
回転させることにより発電するマイクロ発電機であって、段部を有して拡径させた開口部を蓋体により閉蓋する略有底円筒状の本体ケースと、該本体ケースの底部内周に沿って環状に固定する単数又は複数の永久磁石と、該永久磁石の内周に回動自在に収納させた環状に組設した複数のコアと、該夫々のコアに多数回捲着させた夫々のコイルと、該夫々のコイルの端部と接続し前記本体ケースの外方に配設する単数又は複数の発光素子と、前記環状に組設した複数のコアと永久磁石との共回転をずらすために前記本体ケース又は前記蓋体に固定した略錨状の偏心錘と、前記複数のコアを固定したスペーサーに貫設固定させた回転軸と、該回転軸を回動自在に軸着する前記本体ケースと前記蓋体の中心に形成した夫々の軸受孔とを備えたことを特徴とするマイクロ発電機。
【発明の詳細な説明】
【技術分野】
【０００１】  本発明は回動又は揺動又は回転させることにより発電するマイクロ発電機に関するものであり、更に詳細には、回動又は揺動又は回転させて本体ケース側と回動軸側との共回転に偏心錘により、ずれを生じさせることによって、本体ケースの外方に配設した発光素子が点灯させるマイクロ発電機に関するものである。
【背景技術】
【０００２】  近年、小電力で高輝度のＬＥＤが開発され、装飾や看板、広告、信号等に用いられるように成っているが、商業用電源を取れる所では配線さえすれば問題はないものの、移動するものにＬＥＤを点灯させるにはバッテリーを必要としているものである。【０００３】  その為に、例えば、タイヤホイールを車両の車軸に固定するホイールナットと、前記ホイールナットに組込まれた電源と、前記ホイールナットに組込まれ、前記電源からの電力により発光する発光部と、前記ホイールナットに組込まれ、前記電源より前記発光部へと電力を供給する回路の途中に設けられた装着先のタイヤホイールの回転に伴う遠心力を利用して接点を開閉するスイッチング機構とを具備したもの（特許文献１参照）や、更に、発電機の界磁および電機子のいずれか一方を自動車タイヤ用ディスクホイールに同軸に固定しかつその他方に慣性錘を連結しイヤが回転して界磁と電機子とが相対回転したとき発電するようにし、前記ディスクホイールに設けた点灯表示器および充電器を前記発電機の出力に接続し、発電機が発電しているときはその出力により点灯表示器を点灯するとともに充電器に充電し、発電機が発電しないときは充電器に充電された電力により点灯表示器を点灯するようにしたもの（特許文献２参照）や、中心軸と中心軸回りに回転する回転体を備え、一方にマグネットを他方にコイル体を設けて回転する事により発電するように構成し、中心軸または回転体のいずれか一方に発光体を設けた発光発電体を、他の回転体の回転力により中心軸又は回転体を回転させ発光体を発光させながら回転するもの（特許文献３参照）、ディスクホイールに一体的に取り付けられ、車輪の回転に伴い前記ディスクホイールと一体的に回転するケースと、単数または複数の静止板により構成され、前記ケースの支軸に回転自在に軸承される静止部材と、前記ケースと前記静止部材との間及び／或いは静止部材同士の間に配設される軸受部材と、前記ケースの回転に拘わらず前記静止部材を略静止した位置に付勢するおもりと、前記静止部材に配設された発光素子と、前記ケースに配設されたマグネットと、前記静止部材に配設された巻き線コアに巻回されたコイルとにより構成されており、前記マグネットが前記コイルに対し移動することより前記発光素子に給電する電力を生成する発電手段とを設けてなるホイールキャップであって、前記軸受部材を前記ケースと前記静止部材との外周部及び／或いは静止部材同士の外周部に配設し、かつ、前記おもりを前記軸受部に配設したもの（特許文献４参照）等が開示されている。
【特許文献１】特開平１１−５１０２８号公報（第２頁）
【特許文献２】特開平１１−２３５０９１号公報（第２頁）
【特許文献３】特開２００２−２５６９号公報（第２頁）
【特許文献４】特開２００３−１２７６０２号公報（第２頁）
【発明の開示】
【発明が解決しようとする課題】
【０００４】  然し乍ら、タイヤホイールを車両の車軸に固定するホイールナットと、前記ホイールナットに組込まれた電源と、前記ホイールナットに組込まれ、前記電源からの電力により発光する発光部と、前記ホイールナットに組込まれ、前記電源より前記発光部へと電力を供給する回路の途中に設けられた装着先のタイヤホイールの回転に伴う遠心力を利用して接点を開閉するスイッチング機構とを具備したものでは、移動するホイールナットが点滅するものであるが、電源を必要としているものである。【０００５】  更に、発電機の界磁および電機子のいずれか一方を自動車タイヤ用ディスクホイールに同軸に固定しかつその他方に慣性錘を連結しタイヤが回転して界磁と電機子とが相対回転したとき発電するようにし、前記ディスクホイールに設けた点灯表示器および充電器を前記発電機の出力に接続し、発電機が発電しているときはその出力により点灯表示器を点灯するとともに充電器に充電し、発電機が発電しないときは充電器に充電された電力により点灯表示器を点灯するようにしたものでは、点灯する位置が高速で回転する自動車タイヤ用ディスクホイールに限定されており、然も充電器を必要としており装置が大掛かりとなるものである。【０００６】  更には、中心軸と中心軸回りに回転する回転体を備え、一方にマグネットを他方にコイル体を設けて回転する事により発電するように構成し、中心軸または回転体のいずれか一方に発光体を設けた発光発電体を、他の回転体の回転力により中心軸又は回転体を回転させ発光体を発光させながら回転するものでは、従来、自転車の発電機として用いられているもの同構造のものである。【０００７】  加えて、ディスクホイールに一体的に取り付けられ、車輪の回転に伴い前記ディスクホイールと一体的に回転するケースと、単数または複数の静止板により構成され、前記ケースの支軸に回転自在に軸承される静止部材と、前記ケースと前記静止部材との間及び／或いは静止部材同士の間に配設される軸受部材と、前記ケースの回転に拘わらず前記静止部材を略静止した位置に付勢するおもりと、前記静止部材に配設された発光素子と、前記ケースに配設されたマグネットと、前記静止部材に配設された巻き線コアに巻回されたコイルとにより構成されており、前記マグネットが前記コイルに対し移動することより前記発光素子に給電する電力を生成する発電手段とを設けてなるホイールキャップであって、前記軸受部材を前記ケースと前記静止部材との外周部及び／或いは静止部材同士の外周部に配設し、かつ、前記おもりを前記軸受部に配設したものでは、高速で回転するディスクホイールに一体的に取り付けられいるもので、大掛かりな装置と成っているものである。
【課題を解決するための手段】
【０００８】  本発明のマイクロ発電機は、前述の課題に鑑み、鋭意研鑽の結果、請求項１に記載のマイクロ発電機は、蓋体により閉蓋する本体ケースと、本体ケースに環状に固定する複数のコアと、コアに捲着させたコイルと、コイルの端部と接続し本体ケースの外方に配設する発光素子と、複数のコアの内周に収納させた永久磁石と、永久磁石にスペーサを介装して固定した偏心錘と、偏心錘と永久磁石とに貫設固定させた回動軸と、回動軸を軸着する本体ケースと蓋体とに形成した軸受孔とを備えたものである。【０００９】  更に、請求項２に記載のマイクロ発電機は、蓋体により閉蓋する本体ケースと、本体ケースに環状に固定する永久磁石と、永久磁石の内周に収納させた環状に組設したコアと、コアに捲着させたコイルと、コイルと接続し本体ケースの外方に配設する発光素子と、複数のコアにスペーサを介装して固定した偏心錘と、偏心錘とコアを貫設固定させた回動軸と、回動軸を軸着する本体ケースと蓋体に形成した軸受孔とを備えたものである。【００１０】  更には、請求項３に記載のマイクロ発電機は、蓋体により閉蓋する本体ケースと、本体ケースに環状に固定する複数のコアと、コアに多数回捲着させたコイルと、コイルと接続し本体ケースの外方に配設する発光素子と、複数のコアの内周に回動自在に収納させた永久磁石と、永久磁石と共回転をずらすために本体ケース又は蓋体に固定した偏心錘と、偏心錘と本体ケースと蓋体とを回転自在に且つ永久磁石を貫設固定させた回転軸と、回転軸を軸着する本体ケースと蓋体との中心に形成した軸受孔とを備えたものである。【００１１】  加えて、請求項４に記載のマイクロ発電機は、蓋体により閉蓋する本体ケースと、本体ケースに環状に固定する永久磁石と、永久磁石の内周に回動自在に収納させた環状に組設した複数のコアと、コアに多数回捲着させたコイルと、コイルと接続し本体ケースの外方に配設する発光素子と、複数のコアと永久磁石との共回転をずらすために本体ケース又は蓋体に固定した偏心錘と、複数のコアを固定したスペーサーに貫設固定させた回転軸と、回転軸を軸着する本体ケースと蓋体の中心に形成した軸受孔とを備えたものである。
【発明の効果】
【００１２】  本発明のマイクロ発電機は、簡易な構造でコンパクトに形成でき、僅かに回動又は揺動又は回転させるだけでも容易に発光素子を発光させることを可能としているため、例えば、自転車の車軸に取り付けても、人間が手に持って普通に歩行するだけでも、海や川の波、風等の動きを利用しても点灯させることも可能なことから、何処にでも取り付けて点灯させられ、夜間においての周囲への位置の表示や、思わぬ場所に点灯させることができ、意外性を有しているもので、画期的で実用性の高い発明である。
【発明を実施するための最良の形態】
【００１３】  本発明は回動又は揺動又は回転させることにより発電するマイクロ発電機に関するものであり、更に詳細には、回動又は揺動又は回転させて本体ケース側と回動軸側との共回転に偏心錘により、ずれを生じさせることによって、本体ケースの外方に配設した発光素子が点灯させるマイクロ発電機に関するものであり、請求項１に記載のマイクロ発電機は、回動又は揺動させることにより発電するマイクロ発電機であって、段部１ａを有して拡径させた開口部を蓋体２により閉蓋する略有底円筒状の本体ケース１と、該本体ケース１の底部内周に沿って環状に固定する複数のコア３と、該夫々のコア３に多数回捲着させた夫々のコイル４と、該夫々のコイル４の端部と接続し前記本体ケース１の外方に配設する単数又は複数の発光素子５と、前記環状に固定した複数のコア３の内周に回動自在に収納させた円板状の永久磁石６と、該永久磁石６にスペーサ７を介装して固定した共回転をずらすための略錨状の偏心錘８と、該偏心錘８と前記永久磁石６とに貫設固定させた回動軸９と、該回動軸９を回動自在に軸着する前記本体ケース１と前記蓋体２との夫々の中心に形成した夫々の軸受孔１０．１０とを備えたものである。【００１４】  更に、請求項２に記載のマイクロ発電機は、回動又は揺動させることにより発電するマイクロ発電機であって、段部１ａを有して拡径させた開口部を蓋体２により閉蓋する略有底円筒状の本体ケース１と、該本体ケース１の底部内周に沿って環状に固定する単数又は複数の永久磁石６と、該永久磁石６の内周に回動自在に収納させた環状に組設した複数のコア３と、該夫々のコア３に多数回捲着させた夫々のコイル４と、該夫々のコイル４の端部と接続し前記本体ケース１の外方に配設する単数又は複数の発光素子５と、前記環状に組設した複数のコア３にスペーサ７を介装して固定した共回転をずらすための略錨状の偏心錘８と、該偏心錘８と前記複数のコア３を固定したスペーサとに貫設固定させた回動軸９と、該回動軸９を回転自在に軸着する前記本体ケース１と前記蓋体２の中心に夫々形成した軸受孔１０．１０とを備えたものである。【００１５】  更には、請求項３に記載のマイクロ発電機は、回転させることにより発電するマイクロ発電機であって、段部１ａを有して拡径させた開口部を蓋体２により閉蓋する略有底円筒状の本体ケース１と、該本体ケース１の底部内周に沿って環状に固定する複数のコア３と、該夫々のコア３に多数回捲着させた夫々のコイル４と、該夫々のコイル４の端部と接続し前記本体ケース１の外方に配設する単数又は複数の発光素子５と、前記環状に固定した複数のコア３の内周に回動自在に収納させた円板状の永久磁石６と、該永久磁石６と共回転をずらすために前記本体ケース１又は前記蓋体２に固定した略錨状の偏心錘８と、該偏心錘８と前記本体ケース１と前記蓋体２とを回転自在に且つ前記永久磁石６を貫設固定させた回転軸９Ａと、該回転軸９Ａを回転自在に軸着する前記本体ケース１と前記蓋体２との夫々の中心に形成した夫々の軸受孔１０．１０とを備えたものである。【００１６】  更には、請求項４に記載のマイクロ発電機は、回転させることにより発電するマイクロ発電機であって、段部１ａを有して拡径させた開口���を蓋体２により閉蓋する略有底円筒状の本体ケース１と、該本体ケース１の底部内周に沿って環状に固定する単数又は複数の永久磁石６と、該永久磁石６の内周に回動自在に収納させた環状に組設した複数のコア３と、該夫々のコア３に多数回捲着させた夫々のコイル４と、該夫々のコイル４の端部と接続し前記本体ケース１の外方に配設する単数又は複数の発光素子５と、前記環状に組設した複数のコア５と永久磁石６との共回転をずらすために前記本体ケース１又は前記蓋体２に固定した略錨状の偏心錘８と、前記複数のコア５を固定したスペーサー７に貫設固定させた回転軸９Ａと、該回転軸９Ａを回動自在に軸着する前記本体ケース１と前記蓋体２の中心に形成した夫々の軸受孔１０．１０とを備えたものである。
【実施例】
【００１７】  以下、本発明のマイクロ発電機の実施例の図面を用いて詳細に説明すると、図１は本発明のマイクロ発電機の実施例１の要部を説明するための平面図であり、図２は本発明のマイクロ発電機の実施例１の断面とした説明図であり、図３は本発明のマイクロ発電機の実施例２の要部を説明するための平面図であり、図４は本発明のマイクロ発電機の実施例２の断面とした説明図であり、図５は本発明のマイクロ発電機の実施例３の要部を説明するための平面図であり、図６は本発明のマイクロ発電機の実施例３の断面とした説明図であり、図７は本発明のマイクロ発電機の実施例４の要部を説明するための平面図であり、図８は本発明のマイクロ発電機の実施例４の断面とした説明図であり、図９は本発明のマイクロ発電機の実施例のコアの平面図である。【００１８】  即ち、本発明のマイクロ発電機の実施例１では図１及び図２に図示する如く、本体ケース１は合成樹脂等の絶縁性部材で外径を５０ｍｍ、高さを２０ｍｍ程度の小型の略有底円筒状に形成したもので、開口部には閉蓋するための円板状の蓋体２を備えており、本体ケース１の開口部に組立後に接着等の手段により閉蓋するものであり、本体ケース１の底部には後述する複数のコア３を環状に固定すると共に、胴周に段部１ａを設けて拡径して後述する偏心錘８が回動するためのスペースを設けているものである。【００１９】  そして、コア３は複数で環状に組設するものであり、図９に図示する如く、夫々コア３の外周側と内周側とを夫々平行した円弧状に形成し、外周側と内周側との間に両側に略コ字状にくびれを形成し、該くびれを後述するコイル４を捲着する捲着部３ａとしたもので、外周側の両端には夫々隣合うコア３同士が安定し、且つ、本体ケース１の底部内周に沿って環状に固定できるように夫々が重なり合う段部３ｂを形成しているもので、コア３は３個乃至８個程度で環状に組設するものである。【００２０】  次に、コイル４は導電性の細い銅線で夫々のコア３の捲着部３ａに多数回捲回させているもので、両端は後述する発光素子５と接続できるように本体ケース１の側壁を貫通させているものである。【００２１】  次いで、発光素子５は小電力で高輝度のＬＥＤであり、両側のリード線を夫々のコイル４の端部と半田付け等の手段により接続しており、本体ケース１の外方に配設しており、一つでも二つでも構わないもので、発光する色は適宜考慮して用いるものである。【００２２】  更に、永久磁石６は円板状に形成したもので本体ケース１の底部内周に環状に固定した複数のコア３の内周に後述する回動軸９により回動自在に収納させるものである。【００２３】  更には、偏心錘８は重量を有した金属等で略錨状に形成したもので、つまり、図１に図示するように、後述する回動軸９を貫設させると共に回動支点と成る貫通孔を中央の山形に穿設すると共に、半円状に形成した外周を備えたもので、偏心錘８は永久磁石６とスペーサ７を介装して接着、溶着等の手段により固定しており、本体ケース１の胴周に段部１ａを設けて拡径させたスペースを回動するもので、永久磁石６と複数のコア３とが共に回転をするのを慣性によってずらすためのものである。【００２４】  そして、回動軸９は偏心錘８とスペーサ��との回動支点と永久磁石６との中に貫設させて本体ケース１内で回動させるためのものであり、後述する軸受孔１０．１０に両端を軸着させているものである。【００２５】  次に、軸受孔１０．１０は本体ケース１と蓋体２との夫々の中心に夫々形成しているもので、回動軸９を回動自在に軸着するものである。【００２６】  更に、本発明の実施例２のマイクロ発電機では図３及び図４に図示する如く、本体ケース１側に永久磁石６を固定して、回動軸９側に複数のコア３を配設するものであり、本体ケース１は合成樹脂等の絶縁性部材で外径を５０ｍｍ、高さを２０ｍｍ程度の小型の略有底円筒状に形成したもので、開口部には閉蓋するための円板状の蓋体２を備えており、本体ケース１の開口部に組立後に接着等の手段により閉蓋するものであり、本体ケース１の底部には後述する永久磁石６を環状に固定すると共に、胴周に段部１ａを設けて拡径させて後述する偏心錘８が回動するためのスペースを設けているものである。【００２７】  そして、永久磁石６は単体の環状に形成したものを用いても、複数の円弧状に形成したものを接続させた状態で環状にして用いても構わないもので、本体ケース１の底部内周に沿って環状に固定するものである。【００２８】  次に、コア３は複数で環状に組設するものであり、外周側と内周側とを夫々平行した円弧状に形成し、外周側と内周側との間に両側に略コ字状にくびれを形成し、該くびれを後述するコイル４を捲着する捲着部３ａとしており、両端には隣合うコア３同士が安定し、且つ、環状に固定できるように重なり合う段部３ｂを夫々形成しているもので、環状のコア３の片面には円板状のスペーサ７を固定し、スペーサ７は後述する偏心錘８との間に介装させているものである。【００２９】  次に、コイル４は導電性の細い銅線で夫々のコア３の捲着部３ａに多数回捲回させているもので、両端は後述する発光素子５と接続できるように後述する回動軸９に沿って本体ケース１の側壁を貫通させているものである。【００３０】  次いで、発光素子５は小電力で高輝度のＬＥＤであり、両側のリード線を夫々のコイル４の端部と半田付け等の手段により接続しており、回動軸９に沿って本体ケース１の外方に単数又は複数を配設しており、色は適宜考慮して用いるものである。【００３１】  更には、偏心錘８は重量を有した金属等で略錨状に形成したもので、つまり、図３に図示するように、後述する回動軸９を貫設固定させると共に回動支点と成る貫通孔を中央の山形に穿設すると共に、半円状に形成した外周を備えたもので、偏心錘８は環状のコア３とスペーサ７を介装して接着、溶着等の手段により固定しており、本体ケース１の胴周に段部１ａを設けて拡径させたスペースを回動するもので、永久磁石６と複数のコア３とが共に回転をするのを慣性によってずらすためのものである。【００３２】  そして、回動軸９は偏心錘８と複数のコア３を環状に固定したスペーサ７とを貫設固定させ、本体ケース１内で複数のコア３と偏心錘８とを共に回動させるものであり、後述する軸受孔１０．１０に回動自在に軸着させているものである。【００３３】  次に、軸受孔１０．１０は本体ケース１と蓋体２との夫々の中心に夫々形成しているもので、回動軸９を回��自在に軸着するものである。【００３４】  即ち、本発明のマイクロ発電機は、僅かな回動又は揺動で発光素子５を点灯することができるもので、例えば、腕時計のように腕に装着して手を振って歩くのみで、本体ケース１側と回動軸９側との動きに偏心錘９によりずれが生じ、永久磁石６とコイル４とが相違する動きをし、永久磁石６の磁界をコイル４が横切ることにより発電して発光素子５が点灯するものである。【００３５】  加えて、実施例３又は実施例４においては、回動軸９を他の動力で回転する回転軸９Ａとしたもので、例えば、自転車の車輪の車軸、風によって回転させる風車の回転軸９Ａとした又は接続したものであり、構成は前記実施例１及び実施例２と同様なものであるので省略するが、中心を貫通する回転軸９Ａの径のサイズによって本体ケース１等のサイズも大きくするものである。【００３６】  そして、回転軸９Ａが回転することから、実施例３では回転軸９Ａに永久磁石６を貫設固定させ、本体ケース１側に複数のコア３と偏心錘９とを固定して回転軸９Ａとは回転自在にしているもので、実施例４では回転軸９Ａに複数のコア３を固定させたスペーサ７を貫設固定させ、本体ケース１側に永久磁石６と偏心錘９とを固定して回転軸９Ａとは回転自在にしているものである。【００３７】  つまり、自転車等の回転軸９Ａを回転させることにより、回転軸９Ａ側に固定した永久磁石６又は複数のコア３が回転し、本体ケース１側に固定した偏心錘９によって、本体ケース１側に固定した複数のコア３又は永久磁石６との回転にずれを生じさせて、発光素子５が点灯するものである。
【産業上の利用可能性】
【００３８】  本発明のマイクロ発電機は、簡易な構造でコンパクトに形成でき、僅かに回動又は揺動又は回転させるだけでも容易に発光素子を発光させることを可能としているため、例えば、人間が手に持って普通に歩行するだけでも、海や川の波、風等によっても点灯させることができ、更に、自転車の車輪の車軸に取り付けて走行時に点灯させることでき、何処にでも取り付けて点灯することが可能なものである。
【図面の簡単な説明】
【００３９】
【図１】  図１は本発明のマイクロ発電機の実施例１の要部を説明するための平面図である。
【図２】  図２は本発明のマイクロ発電機の実施例１の断面とした説明図である。
【図３】  図３は本発明のマイクロ発電機の実施例２の要部を説明するための平面図である。
【図４】  図４は本発明のマイクロ発電機の実施例２の断面とした説明図である。
【図５】  図５は本発明のマイクロ発電機の実施例３の要部を説明するための平面図である。
【図６】  図６は本発明のマイクロ発電機の実施例３の断面とした説明図である。
【図７】  図７は本発明のマイクロ発電機の実施例４の要部を説明するための平面図である。
【図８】  図８は本発明のマイクロ発電機の実施例４の断面とした説明図である。
【図９】  図９は本発明のマイクロ発電機の実施例のコアの平面図である。
【符号の説明】
【００４０】１      本体ケース
１ａ    段部
２      蓋体
３      コア
３ａ    捲着部
３ｂ    段部
４      コイル
５      発光素子
６      永久磁石
７      スペーサ
８      偏心錘
９      回動軸
９Ａ    回転軸
１０    軸受孔
【図１】
2005198371.tif 000003
【図２】
2005198371.tif 000004
【図３】
2005198371.tif 000005
【図４】
2005198371.tif 000006
【図５】
2005198371.tif 000007
【図６】
2005198371.tif 000008
【図７】
2005198371.tif 000009
【図８】
2005198371.tif 000010
【図９】
2005198371.tif 000011